(57)【要約】      （修正有）【課題】腕章を腕等に通して使用するだけでなく、店舗のカウンターに設置するなど表示用置物としての使用も可能とする新規且つ有用な腕章ホルダを提供する。【解決手段】表示用置物として使用する場合には、腕章ホルダ１から腕章２１を取り外し、一対の開閉片１１，１１を開いて脚部７全体を平らにする。次に、腕章ホルダ１に腕章２１を外側から巻き回してホック部材で止めて輪状に連結させた状態で装着する。その際、腕章２１の表示部２５が正面を向く板面５の中心にくるように調整する。装着後は、脚部７を店舗のカウンターなどに設置する。ホルダ本体３は脚部７により支持されて安定的に自立する。【選択図】図３
0003139926.tif 000002
【実用新案登録請求の範囲】
【請求項１】
腕章を外側面に装着させて保持する本体と、前記本体に取り付けられた脚部とを備え、前記本体は前記脚部により支持されて自立することを特徴とする腕章ホルダ。
【請求項２】
請求項１に記載した腕章ホルダにおいて、本体は平板状をなし、脚部は前記本体の両側板面の下端から開閉自在に延びた一対の薄いシート状の開閉片からなり、前記一対の開閉片は閉じたときには前記本体の板面にそれぞれ当接し、開いたときには前記本体を板面が横方向を向いた状態で自立させるものであることを特徴とする腕章ホルダ。
【請求項３】
請求項２に記載した腕章ホルダにおいて、脚部は薄いシート状の部材からなり、その中間部が座部としてホルダ本体の下面に固定され、その両側の前記ホルダ本体からのはみ出し部分が一対の開閉片になっていることを特徴とする腕章ホルダ。
【考案の詳細な説明】
【技術分野】
【０００１】
本考案は腕章ホルダに係り、特に腕章を腕や被服の袖に通して使用するだけでなく、表示用置物としての使用も可能とする腕章ホルダに関するものである。
【背景技術】
【０００２】
腕章は社会的に広く認知されており、腕や腕を覆う袖に通して装着するだけで装着者の身分、役割、メッセージなどを表すことができることから手軽な表示手段として官民問わず広く利用されている。
【０００３】
【特許文献１】実用新案登録第３１３４２９３号公報
【特許文献２】特開２００１−３１８６０９号公報
【考案の開示】
【考案が解決しようとする課題】
【０００４】
ところが、腕章は腕等に通し易いように通常柔軟性を有するシートによって構成されており、一旦腕章を腕等から外してしまうと、輪状に連結して立たせても不安定で倒れ易い。従って、折角表示機能を有しながら、その使用機会は限定されている。
本考案は上記従来の問題点に着目して為されたものであり、腕章を腕等に通して使用するだけでなく、店舗のカウンターに設置するなど表示用置物としての使用も可能とする新規且つ有用な腕章ホルダを提供することを、その目的とする。
【課題を解決するための手段】
【０００５】
本考案は上記課題を解決するためになされたものであり、請求項１の考案は、腕章を外側面に装着させて保持する本体と、前記本体に取り付けられた脚部とを備え、前記本体は前記脚部により支持されて自立することを特徴とする腕章ホルダである。
【０００６】
請求項２の考案は、請求項１に記載した腕章ホルダにおいて、本体は平板状をなし、脚部は前記本体の両側板面の下端から開閉自在に延びた一対の薄いシート状の開閉片からなり、前記一対の開閉片は閉じたときには前記本体の板面にそれぞれ当接し、開いたときには前記本体を板面が横方向を向いた状態で自立させるものであることを特徴とする腕章ホルダである。
【０００７】
請求項３の考案は、請求項２に記載した腕章ホルダにおいて、脚部は薄いシート状の部材からなり、その中間部が座部としてホルダ本体の下面に固定され、その両側の前記ホルダ本体からのはみ出し部分が一対の開閉片になっていることを特徴とする腕章ホルダである。
【考案の効果】
【０００８】
本考案の腕章ホルダに腕章を装着させれば、腕章を安定的に自立させることができるので、店舗のカウンターなどに設置して表示用置物として使用することができる。
【考案を実施するための最良の形態】
【０００９】
本考案の実施の形態に係る腕章ホルダ１を、図面にしたがって説明する。
この腕章ホルダ１は、腕章２１のホルダとして使用されるものである。
先ず、腕章２１について説明する。
この腕章２１は、一般的なものであり、ほぼ柔軟性を有する帯状のシートによって構成された腕章本体２３の表面側に表示部２５が設けられており、そこに国旗の図形と「歓迎」の文字が表示されている。また、腕章本体２３の長手方向の両端部には雄・雌のホック部材２７，２７が設けられており、これらが連結されて腕章本体２３は輪状になる。腕章本体２３の表示部２５の上方には安全ピン３１の挿通穴２９が形成されている。
【００１０】
次に、腕章ホルダ１について説明する。
符号３はほぼ長方形の平板状のホルダ本体を示し、その板面５は両面とも同じようになっており、正面、背面の区別は特に無い。このホルダ本体３は比較的剛性を有する材料によって形成されている。このホルダ本体３の板面５の短辺寸法は腕章２１の腕章本体２３の幅寸法とほぼ同じに設定されている。また、ホルダ本体３の横断面の外周寸法は、輪状に連結された腕章本体２３が若干の余裕を持って外側から装着されるように設定されている。
【００１１】
符号７は脚部を示し、この脚部７はほぼ正方形の薄いシート状に構成されている。脚部７の一辺寸法はホルダ本体３の板面５の長辺寸法より小さく設定されている。
図２に示すように、ホルダ本体３は板面５が横を向くように横長の姿勢で立たされており、その下面が脚部７の中間部の座部９に接着され固定されている。脚部７の一辺よりホルダ本体３の長手方向の寸法が大きいのでホルダ本体３の下面は脚部７からはみ出るがそのはみ出し部分の大きさは両端で同じになるように、ホルダ本体３の立ち位置が調整されている。
【００１２】
脚部７はホルダ本体３の両側板面５から外方にそれぞれはみ出ており、そのはみ出し部分が一対の開閉片１１，１１になっている。従って、一対の開閉片１１，１１はホルダ本体３の両板面５の下端から延びていることになる。各開閉片１１はほぼ長方形をなしており、ホルダ本体３の板面５より小さくなっている。
各開閉片１１の基端部に当る座部９との境界部分は折曲線１３になっており、各開閉片１１はその折曲線１３を境にして開閉自在になっている。
開閉片１１，１１が閉じられると、ホルダ本体３の両板面５，５にそれぞれ近づき最終的には両板面５にそれぞれぴったりと当接する。一方、開閉片１１，１１が開かれると、開閉片１１，１１の遊端は互いに離れ最終的には座部９を挟んでほぼ平らになる。
【００１３】
次に、この腕章ホルダ１の包装・保管方法、使用方法、作用効果について説明する。
図１に示すように、腕章ホルダ１は腕章２１と一体化することでコンパクト化できる。すなわち、安全ピン３１を図示しない粘着テープなどでホルダ本体３の板面に貼り付け、一対の開閉片１１，１１を閉じてホルダ本体３の板面５にそれぞれ当接させる。次に、開閉片１１，１１を覆うようにホルダ本体３の外側面に腕章２１を巻き回し、ホック部材２７を止めて輪状にして装着することで一体化する。
図１の状態では、開閉片１１，１１が折畳まれ、全体としてホルダ本体３に近いコンパクト化された形状になっているので、適当な包装袋に入れて販売したり、保管したりするのに便利である。また、腕章２１と腕章ホルダ１を一緒に保管することになるので、片方だけを紛失するようなことは避けられる。
【００１４】
表示用置物として使用する場合には、図２、図３に示すようにする。すなわち、図１の状態の腕章ホルダ１から腕章２１を取り外し、一対の開閉片１１，１１を開いて脚部７全体を平らな状態にする。次に、腕章ホルダ１のホルダ本体３の外側面に腕章２１を外側から巻き回してホック部材２７で止めて輪状にした状態で装着する。その際、腕章２１の表示部２５が正面を向く板面５の中心にくるように調整する。装着後は、脚部７を店舗のカウンターなどに載せて設置する。脚部７の裏面全体が設置面に当接するので腕章２１が装着されたホルダ本体３は脚部７により支持されて安定的に自立する。従って、腕章２１は腕章ホルダ１と一体化されることで表示用置物として使用できる。
【００１５】
なお、本来の腕章として使用する場合には、図４に示すように、腕章２１を被服の袖Ｓに巻き、ホック部材２７を連結して輪状にすると共に、挿通穴２９に挿通された安全ピン３１で袖Ｓに止める。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、ホルダ本体には１つの腕章しか装着されていないが、ホルダ本体を２つ以上の腕章を同時に装着できるような大きさに設定することも考えられる。
【産業上の利用可能性】
【００１７】
本考案は腕章の新たな用途を提供している。
【図面の簡単な説明】
【００１８】
【図１】本考案の実施の形態に係る腕章ホルダと腕章とを一体化によりコンパクトにした状態を示す斜視図である。
【図２】表示用置物として使用するときの腕章ホルダへの腕章の装着方法の説明図である。
【図３】表示用置物としての使用状態を示す斜視図である。
【図４】通常の腕章としての使用状態を示す斜視図である。
【符号の説明】
【００１９】
１…腕章ホルダ      ３…ホルダ本体      ５…板面
７…脚部      ９…座部      １１，１１…一対の開閉片
１３…折曲線
２１…腕章      ２３…腕章本体      ２５…表示部
２７…ホック部材      ２９…挿通穴      ３１…安全ピン
Ｓ…被服の袖
【図１】
0003139926.tif 000003
【図２】
0003139926.tif 000004
【図３】
0003139926.tif 000005
【図４】
0003139926.tif 000006